(57)【要約】  無線通信端末には、無線通信部、非無線通信部、バッテリ、及び電力制御部が備えられている。無線通信部は、個々の無線通信デバイスを用いて無線通信機能を実行するために、無線エアインタフェースを介してＲＦ信号を送受信する。非無線通信部は非無線通信機能を実行する。電力制御部は、バッテリが蓄積電力レベルの閾値未満のときの残存電力レベルに応じて、無線通信部の少なくとも一部にバッテリから電力が流れることを選択的に防ぐとともに、非無線通信部にバッテリから電力を供給する。
2010508740.tif 000002
【特許請求の範囲】
【請求項１】
無線通信端末であって、
個々の無線通信デバイスを用いて無線通信機能を実行するために、無線エアインタフェースを介してＲＦ信号の送受信を行う無線通信部と、
非無線通信機能を実行する非無線通信部と、
バッテリと、
前記バッテリが蓄積電力レベルの閾値未満のときの残存電力レベルに応じて、前記無線通信部の少なくとも一部に前記バッテリから電力が流れることを選択的に防ぐとともに、前記非無線通信部に前記バッテリから電力を供給する電力制御部と
を備えることを特徴とする無線通信端末。
【請求項２】
前記非無線通信部は、
カメラセンサと、
前記カメラセンサによって撮像された画像を処理するカメラ制御部とを備え、
前記電力制御部は、さらに、
前記バッテリが前記蓄積電力レベルの閾値未満のときの残存電力レベルに応じて、前記無線通信部の少なくとも一部に前記バッテリから電力が流れることを選択的に防ぐとともに、前記カメラセンサと前記カメラ制御部とに前記バッテリから電力を供給することを特徴とする請求項１に記載の無線通信端末。
【請求項３】
入射光に対して前記カメラセンサを選択的に露光するために開閉されるカメラのウィンドウシャッタと、
前記カメラのウィンドウシャッタの開放に応じて作動信号を生成する作動センサとをさらに備え、
前記電力制御部は、さらに、
前記バッテリが前記蓄積電力レベルの閾値未満のときの残存電力レベルに応じて、かつ、前記カメラのウィンドウシャッタが開放されたことを示す作動信号に応じて、前記無線通信部の少なくとも一部に前記バッテリから電力を供給することを防ぐとともに、前記カメラ制御部及び前記カメラセンサへ電力を供給することを特徴とする請求項２に記載の無線通信端末。
【請求項４】
非無線通信部は、音楽／音声プレイヤ／レコーダ制御部と、電子メール／メッセージング制御部との少なくとも１つを備え、
前記電力制御部は、さらに、
前記バッテリが前記蓄積電力レベルの閾値未満のときの残存電力レベルに応じて、前記無線通信部の少なくとも一部に前記バッテリから電力が流れることを選択的に防ぐとともに、前記音楽／音声プレイヤ／レコーダ制御部と前記電子メール／メッセージング制御部との少なくとも１つに前記バッテリから電力を供給することを特徴とする請求項１乃至３の何れか１項に記載の無線通信端末。
【請求項５】
前記電力制御部は、さらに、
前記バッテリの前記残存電力レベルを測定し、
測定した前記残存電力レベルが前記蓄積電力レベルの閾値以上の間は、前記無線通信部及び前記非無線通信部へ電力を供給し、
測定した前記残存電力レベルが前記蓄積電力レベルの閾値未満になると、前記非無線通信部への電力の供給を継続するとともに、前記無線通信部の少なくとも一部への電力の供給を停止することを特徴とする請求項１乃至４の何れか１項に記載の無線通信端末。
【請求項６】
前記無線通信部は、
ＲＦ信号を送受信する無線トランシーバと、
前記無線トランシーバを介して送受信されるべき情報を符号化／復号化する無線チャネル符号化／復号化制御部と、
他の無線通信デバイスと通信するためのプロトコルをシグナリングするプロトコル通信制御部と、を備え、
前記電力制御部は、さらに、
測定した前記残存電力レベルが前記蓄積電力レベルの閾値未満になると、前記非無線通信部への電力の供給を継続するとともに、前記無線通信部の少なくとも一部への電力の供給を停止することを特徴とする請求項５に記載の無線通信端末。
【請求項７】
前記電力制御部は、さらに、
測定した前記残存電力レベルが前記蓄積電力レベルの閾値未満になると、前記非無線通信部への電力の供給を継続するとともに、前記トランシーバ、前記無線チャネル符号化／復号化制御部、及び前記プロトコル通信制御部への電力の供給を停止することを特徴とする請求項６に記載の無線通信端末。
【請求項８】
前記無線通信部は、セルラー電話呼を実行し、
前記無線通信端末は、さらに、ユーザ定義されたセルラー電話呼の分単位での最小通話時間として前記蓄積電力レベルの閾値を定義するためにユーザによって操作されるユーザインタフェースを備え、
前記最小通話時間は、前記バッテリが通話を終了するまでに十分な蓄積電力を有することが期待される時間であることを特徴とする請求項５乃至７の何れか１項に記載の無線通信端末。
【請求項９】
前記電力制御部は、さらに、
測定した前記残存電力レベルがユーザ定義された少なくとも分単位での前記最小通話時間のセルラー電話呼を実行するために不十分になると、前記非無線通信部への電力の供給を継続するとともに、前記無線通信部の少なくとも一部への電力の供給を停止することを特徴とする請求項８に記載の無線通信端末。
【請求項１０】
ユーザ定義されたフル充電のバッテリ電力の割合として前記蓄積電力レベルの閾値を定義するためにユーザによって操作されるユーザインタフェースをさらに備えることを特徴とする請求項５乃至９の何れか１項に記載の無線通信端末。
【請求項１１】
前記電力制御部は、ユーザが前記無線通信端末を作動させることに応じて、さらに、
前記バッテリの前記残存電力レベルを測定し、
測定した前記残存電力レベルが前記蓄積電力レベルの閾値以上になると、前記無線通信部及び前記非無線通信部に電力の供給を開始し、
測定した前記残存電力レベルが前記蓄積電力レベルの閾値未満になると、前記非無線通信部に電力の供給を開始するとともに、前記無線通信部の少なくとも一部への電力の供給を防ぐことを特徴とする請求項５乃至１０の何れか１項に記載の無線通信端末。
【請求項１２】
前記無線通信部がデータの読出し／書込みを行う内部メモリと、
取り外し可能なメモリモジュールとをさらに備え、
前記電力制御部は、さらに、
前記バッテリが前記蓄積電力レベルの閾値未満のときの前記残存電力レベルに応じて、前記取り外し可能なメモリモジュールに前記バッテリから電力が流れることを許可するとともに、前記内部メモリに前記バッテリから電力が流れることを選択的に防ぎ、
前記非無線通信部は、選択的に、
１）前記内部メモリに電力が供給されると、該内部メモリからのデータの読出し若しくは該内部メモリへのデータの書込み、又は
２）前記内部メモリへの電力の供給が停止されると、前記取り外し可能なメモリモジュールからのデータの読出し若しくは該取り外し可能なメモリモジュールへのデータの書込み
を実行することを特徴とする請求項１乃至１１の何れか１項に記載の無線通信端末。
【請求項１３】
前記非無線通信部は、カメラセンサ及びカメラ制御部と、音楽／音声プレイヤ／レコーダ制御部と、電子メール／メッセージング制御部との少なくとも１つを備え、
前記カメラセンサ及びカメラ制御部と、前記音楽／音声プレイヤ／レコーダ制御部と、前記電子メール／メッセージング制御部との少なくとも１つは、選択的に、
１）前記内部メモリに電力が供給されると、該内部メモリからのデータの読出し若しくは該内部メモリへのデータの書込み、又は
２）前記内部メモリへの電力の供給が停止されると、前記取り外し可能なメモリモジュールからのデータの読出し若しくは該取り外し可能なメモリモジュールへのデータの書込み
を実行することを特徴とする請求項１１又は１２に記載の無線通信端末。
【請求項１４】
無線通信端末であって、
個々の無線通信デバイスを用いて無線通信機能を実行するために、無線エアインタフェースを介してＲＦ信号の送受信を行う無線通信部と、
非無線通信機能を実行する非無線通信部と、
バッテリと、
前記無線通信端末のコンポーネントの物理的作動を検知することに応じて、作動信号を生成する作動センサと、
前記作動信号に応じて、前記無線通信部の少なくとも一部に前記バッテリから電力が流れることを選択的に防ぐとともに、前記非無線通信部に前記バッテリから電力を供給する電力制御部と
を備えることを特徴とする無線通信端末。
【請求項１５】
カメラセンサと、
入射光に対して前記カメラセンサを選択的に露光するために開閉されるカメラのウィンドウシャッタと、をさらに備え、
前記作動センサは、前記カメラのウィンドウシャッタの開放に応じて前記作動信号を生成し、
前記非無線通信部は、前記カメラセンサによって撮像された画像を処理するカメラ制御部を備え、
前記電力制御部は、ユーザが前記無線通信端末を作動させることに応じて、さらに、
前記カメラのウィンドウシャッタが開放されたことを示す前記作動信号に応じて、前記無線通信部の少なくとも一部に電力が供給されることを防ぐとともに、前記カメラ制御部に電力の供給を開始し、
前記カメラのウィンドウシャッタが閉じられたことを示す前記作動信号に応じて、前記カメラ制御部の電源オフ状態を放置するとともに、前記無線通信部に電力の供給を開始することを特徴とする請求項１４に記載の無線通信端末。
【請求項１６】
カメラセンサと、
入射光に対して前記カメラセンサを選択的に露光するために開閉されるカメラのウィンドウシャッタと、をさらに備え、
前記作動センサは、前記カメラのウィンドウシャッタの開放に応じて前記作動信号を生成し、
前記非無線通信部は、前記カメラセンサによって撮像された画像を処理するカメラ制御部を備え、
前記電力制御部は、前記無線通信端末が電源オフ状態になると、さらに、
前記カメラのウィンドウシャッタが開放されたことを示す前記作動信号に応じて、前記無線通信部の少なくとも一部の電源オフ状態を放置するとともに、前記カメラ制御部及び前記カメラセンサに電力の供給を開始することを特徴とする請求項１４又は１５に記載の無線通信端末。
【請求項１７】
カメラセンサをさらに備え、
前記非無線通信部は、前記カメラセンサによって撮像された画像を処理するカメラ制御部を備え、
前記作動センサは、カメラボタンと、作動されると前記作動信号を生成する、該カメラボタンに関連付けられた電気スイッチとを備え、
前記電力制御部は、前記無線通信端末が電源オフ状態になると、さらに、
前記カメラボタンの作動によって生じる前記作動信号に応じて、前記無線通信部の少なくとも一部の電源オフ状態を放置するとともに、前記カメラ制御部及び前記カメラセンサに電力の供給を開始することを特徴とする請求項１４乃至１６の何れか１項に記載の無線通信端末。
【請求項１８】
カメラセンサと、
開いた位置と閉じた位置との間で移動し、ヒンジによって互いに接続された第１及び第２の筐体部と、をさらに備え、
前記作動センサは、さらに、前記第１及び第２の筐体部が前記閉じた位置から前記開いた位置に移動することに応じて前記作動信号を生成し、
前記非無線通信部は、前記カメラセンサによって撮像された画像を処理するカメラ制御部を備え、
前記電力制御部は、さらに、
前記第１及び第２の筐体部が前記閉じた位置から前記開いた位置に移動することを示す前記作動センサからの前記作動信号に応じて、前記無線通信部の少なくとも一部の電源オフ状態を放置するとともに、前記カメラ制御部及び前記カメラセンサに電力を供給することを特徴とする請求項１４乃至１７の何れか１項に記載の無線通信端末。
【請求項１９】
開いた位置と閉じた位置との間で移動し、ヒンジによって互いに接続された第１及び第２の筐体部をさらに備え、
前記作動センサは、さらに、前記第１及び第２の筐体部が前記閉じた位置から前記開いた位置に移動することに応じて前記作動信号を生成し、
前記非無線通信部は、前記無線通信部に電力が供給されている間は、該無線通信部を介してユーザが録音済みの音楽／音声を受信することを許可し、前記無線通信部に電力が供給されていない間は、ユーザが音楽／音声を再生又は録音することを許可し、かつ、ユーザが録音済みの音楽／音声を受信することを許可しない音楽／音声プレイヤ／レコーダ制御部を備え、
前記電力制御部は、さらに、
前記第１及び第２の筐体部が前記閉じた位置から前記開いた位置に移動することを示す前記作動センサからの前記作動信号に応じて、前記無線通信部の少なくとも一部の電源オフ状態を放置するとともに、前記音楽／音声プレイヤ／レコーダ制御部に電力を供給することを特徴とする請求項１４乃至１８の何れか１項に記載の無線通信端末。
【請求項２０】
開いた位置と閉じた位置との間で移動し、ヒンジによって互いに接続された第１及び第２の筐体部をさらに備え、
前記作動センサは、さらに、前記第１及び第２の筐体部が前記閉じた位置から前記開いた位置に移動することに応じ前記作動信号を生成し、
前記非無線通信部は、前記無線通信部に電力が供給されている間は、該無線通信部を介してユーザが電子メール／メッセージを送受信することを許可し、前記無線通信部に電力が供給されていない間は、ユーザが電子メール／メッセージを作成し、レビューすることを許可し、かつ、ユーザが電子メール／メッセージを送受信することを許可しない電子メール／メッセージング制御部を備え、
前記電力制御部は、さらに、
前記第１及び第２の筐体部が前記閉じた位置から前記開いた位置に移動することを示す前記作動センサからの前記作動信号に応じて、前記無線通信部の少なくとも一部の電源オフ状態を放置するとともに、前記電子メール／メッセージング制御部に電力を供給することを特徴とする請求項１４乃至１９の何れか１項に記載の無線通信端末。
【請求項２１】
前記無線通信部は、
ＲＦ信号を送受信する無線トランシーバと、
前記無線トランシーバを介して送受信されるべき情報を符号化／復号化する無線チャネル符号化／復号化制御部と、
他の無線通信デバイスと通信するためのプロトコルをシグナリングするプロトコル通信制御部と、を備え、
前記電力制御部は、さらに、
前記作動信号に応じて、前記非無線通信部への電力の供給を継続するとともに、前記無線通信部の少なくとも一部への電力の供給を停止することを特徴とする請求項１４乃至２０の何れか１項に記載の無線通信端末。
【発明の詳細な説明】
【技術分野】
【０００１】
本発明は、無線通信端末に関し、特に無線通信端末における通信機能及び非通信機能の制御に関するものである。
【背景技術】
【０００２】
無線通信端末の中へ組み込まれる機能の数及び種類が引き続き急増している。静止画像／ビデオの記録機能、音楽再生／録音機能及び連絡先とカレンダによるスケジューリングの管理を行うためのパーソナル・デジタル・アシスタント機能と共に、携帯電話機、ページャ及びメッセージング通信機能を設けた無線通信端末が導入されている。端末は、（ブルートゥース（登録商標）ネットワークなどの）アドホックな通信ネットワークを介して、セルラ通信ネットワーク、（ＷＬＡＮ無線アクセスポイントなどの）無線ルータと他の無線通信端末との少なくともいずれかと通信を行うように構成することができる。端末はまた、例えばユーザが電話による通話、アポイントメントのカレンダでのスケジュール管理、連絡先情報の管理、電子メール／インスタント・メッセージの送受信、写真／ビデオの録画、インターネット及びインターネットで利用可能な情報へのアクセスのうちの少なくともいずれかを実行できるように構成することができる。
【発明の概要】
【発明が解決しようとする課題】
【０００３】
無線通信端末に関する別の傾向として、無線通信端末の物理的寸法を小さくし、かつ、電池充電サイクル間において無線通信端末へ電力を供給できる時間量を増やすことによって無線通信端末の携帯性を高めようとする傾向が存在する。端末における機能の急増及び関連する増大する処理、並びに、これに関連する通信回路は端末の動作電力要件を増やすことになる可能性がある。さらに、端末の物理的寸法を小さくしたいという要望が存在するため、（一般に電力の少ない）より小型のバッテリの利用が必要となることが考えられる。したがって、電池充電サイクル間において十分な動作時間を提供しながら、より小型の端末の中により多くの機能を提供しようと試みる場合には、設計者にはますます挑戦すべき課題が与えられることになる。
【課題を解決するための手段】
【０００４】
本発明のいくつかの実施形態は、無線通信端末内の無線通信部に選択的に電力を供給する無線通信端末を提供することを目的とする。無線通信端末には、無線通信部、非無線通信部、バッテリ、及び電力制御部が備えられている。無線通信部は、個々の無線通信デバイスを用いて無線通信機能を実行するために、無線エアインタフェースを介してＲＦ信号の送受信を行う。非無線通信部は、非無線通信機能を実行する。電力制御部は、バッテリが蓄積電力レベルの閾値未満のときの残存電力レベルに応じて、無線通信部の少なくとも一部にバッテリから電力が流れることを選択的に防ぐとともに、非無線通信部にバッテリから電力を供給する。
【０００５】
非無線通信部は、カメラセンサと、カメラセンサによって撮像された画像を処理するカメラ制御部とを備える。電力制御部は、バッテリが蓄積電力レベルの閾値未満のときの残存電力レベルに応じて、無線通信部の少なくとも一部にバッテリから電力が流れることを選択的に防ぐとともに、バッテリからカメラセンサ及びカメラ制御部へ電力を供給する。
【０００６】
端末は、入射光に対してカメラセンサを選択的に露光するために開閉されるカメラのウィンドウシャッタと、カメラのウィンドウシャッタの開放に応じて作動信号を生成する作動センサと、をさらに備えてもよい。バッテリが蓄積電力レベルの閾値未満のときの残存電力レベルに応じて、かつ、カメラのウィンドウシャッタが開放されたことを示す作動信号に応じて、電力制御部は、無線通信部の少なくとも一部にバッテリから電力を供給することを防ぐとともに、カメラ制御部及びカメラセンサへ電力を供給する。
【０００７】
非無線通信部は、音楽／音声プレイヤ／レコーダ制御部と、電子メール／メッセージング制御部との少なくとも１つを備える。電力制御部は、さらに、バッテリが蓄積電力レベルの閾値未満のときの残存電力レベルに応じて、無線通信部の少なくとも一部にバッテリから電力が流れることを選択的に防ぐとともに、音楽／音声プレイヤ／レコーダ制御部と、電子メール／メッセージング制御部との少なくとも１つにバッテリから電力を供給する。
【０００８】
電力制御部は、さらに、バッテリの残存電力レベルを測定し、測定した残存電力レベルが蓄積電力レベルの閾値以上の間は、無線通信部及び非無線通信部へ電力を供給し、測定した残存電力レベルが蓄積電力レベルの閾値未満になると、非無線通信部への電力の供給を継続するとともに、無線通信部の少なくとも一部への電力の供給を停止する。
【０００９】
無線通信部はセルラー電話呼を実行する。無線通信端末は、ユーザ定義されたセルラー電話呼の分単位での最小通話時間として蓄積電力レベルの閾値を定義するためにユーザによって操作されるユーザインタフェースを備える。この最小通話時間の間、バッテリは、通話を終了するまでに十分な蓄積電力を有することが期待される。上記とは別に、ユーザインタフェースを用いて、ユーザ定義によるフル充電のバッテリ電力の割合として蓄積電力レベルの閾値を定義してもよい。
【００１０】
ユーザが無線通信端末を作動させることに応じて、電力制御部は、さらに、バッテリの残存電力レベルを測定し、測定した残存電力レベルが蓄積電力レベルの閾値以上になると、無線通信部及び非無線通信部に電力の供給を開始し、測定した残存電力レベルが蓄積電力レベルの閾値未満になると、非無線通信部に電力の供給を開始するとともに、無線通信部の少なくとも一部への電力の供給を防ぐ。
【００１１】
無線通信端末は、内部メモリと取り外し可能なメモリモジュールとをさらに備えてもよい。無線通信部は、内部メモリにおいてデータの読出し／書込みを行う。電力制御部は、バッテリが蓄積電力レベルの閾値未満のときの残存電力レベルに応じて、取り外し可能なメモリモジュールにバッテリから電力が流れることを許可するとともに、内部メモリにバッテリから電力が流れることを選択的に防ぐ。非無線通信部は、選択的に、１）内部メモリに電力が供給されると、内部メモリからのデータの読出し若しくは内部メモリへのデータの書込み、又は、２）内部メモリへの電力の供給が停止されると、取り外し可能なメモリモジュールからのデータの読出し若しくは取り外し可能なメモリモジュールへのデータの書込みを実行する。
【００１２】
非無線通信部は、カメラセンサ及びカメラ制御部と、音楽／音声プレイヤ／レコーダ制御部と、電子メール／メッセージング制御部との少なくとも１つを備えてもよい。これらのうちの１つ以上は、選択的に、１）内部メモリに電力が供給されると、内部メモリからのデータの読出し若しくは内部メモリへのデータの書込み、又は、２）内部メモリへの電力の供給が停止されると、取り外し可能なメモリモジュールからのデータの読出し若しくは取り外し可能なメモリモジュールへのデータの書込みを実行する。
【００１３】
本発明の別のいくつかの実施形態では、無線通信端末には、無線通信部、非無線通信部、バッテリ、作動センサ、及び電力制御部が備えられる。作動センサは、無線通信端末のコンポーネントの物理的作動を検知することに応じて、作動信号を生成する。電力制御部は、作動信号に応じて、無線通信部の少なくとも一部にバッテリから電力が流れることを防ぐとともに、非無線通信部にバッテリから電力を供給する。
【００１４】
代替の無線通信端末は、カメラセンサ及びカメラのウィンドウシャッタをさらに備えてもよい。作動センサは、カメラのウィンドウシャッタの開放に応じて作動信号を生成する。非無線通信部は、カメラセンサによって撮像された画像を処理するカメラ制御部を備える。ユーザが無線通信端末を作動させることに応じて、電力制御部は、１）カメラのウィンドウシャッタが開放されたことを示す作動信号に応じて、無線通信部の少なくとも一部に電力が供給されることを防ぐとともに、カメラ制御部に電力の供給を開始するか、又は、２）カメラのウィンドウシャッタが閉じられたことを示す作動信号に応じて、カメラ制御部の電源オフ状態を放置するとともに、無線通信部に電力の供給を開始するかを選択的に実行する。
【００１５】
無線通信端末が電源オフ状態になると、電力制御部は、カメラのウィンドウシャッタが開放されたことを示す作動信号に応じて、無線通信部の少なくとも一部の電源オフ状態を放置するとともに、カメラ制御部とカメラセンサに電力の供給を開始する。
【００１６】
作動センサは、カメラボタンと、作動されると作動信号を生成する、カメラボタンに関連付けられた電気スイッチとを備えてもよい。電力制御部は、無線通信端末の電源オフ状態になると、カメラボタンのユーザによる操作により生じた作動信号に応じて、無線通信部の少なくとも一部の電源オフ状態を放置するとともに、カメラ制御部及びカメラセンサに電力の供給を開始する。
【００１７】
無線通信端末は、ヒンジによって互いに接続された第１及び第２の筐体部をさらに備えてもよい。このヒンジによって第１及び第２の筐体部は開いた位置と閉じた位置との間で可動になる。作動センサは、第１及び第２の筐体部が閉じた位置から開いた位置に移動することに応じて作動信号を生成する。電力制御部は、第１及び第２の筐体部が、閉じた位置から開いた位置に移動することを示す作動センサからの作動信号に応じて、無線通信部の少なくとも一部の電源オフ状態を放置するとともに、カメラ制御部及びカメラセンサに電力を供給する。
【００１８】
非無線通信部は、無線通信部に電力が供給されている間は、ユーザが無線通信部を介して録音済みの音楽／音声を受信することを許可し、無線通信部に電力が供給されていない間は、ユーザが音楽／音声の再生又は録音することを許可し、かつ、ユーザが録音済みの音楽／音声を受信することを許可しない音楽／音声プレイヤ／レコーダ制御部を備えてもよい。電力制御部は、第１及び第２の筐体部が閉じた位置から開いた位置に移動することを示す作動センサからの作動信号に応じて、無線通信部の少なくとも一部の電源オフ状態を放置するとともに、音楽／音声プレイヤ／レコーダ制御部に電力を供給する。
【００１９】
非無線通信部は、無線通信部に電力が供給されている間は、ユーザが無線通信部を介して電子メール／メッセージを送受信することを許可するとともに、無線通信部に電力が供給されていない間は、ユーザが電子メール／メッセージを作成し、レビューすることを許可し、ユーザが電子メール／メッセージを送受信することを許可しない電子メール／メッセージング制御部を備えてもよい。電力制御部は、第１及び第２の筐体部が、閉じた位置から開いた位置に移動することを示す作動センサからの作動信号に応じて、無線通信部の少なくとも一部の電源オフ状態を放置するとともに、電子メール／メッセージング制御部に電力を供給する。
【図面の簡単な説明】
【００２０】
【図１】本発明のいくつかの実施形態に従って構成された無線通信機能と非無線通信機能とが組み込まれた無線通信端末を含む無線通信システムを示すブロック図である。
【図２】図１の無線通信端末における例示のカメラのウィンドウシャッタを示す図である。
【図３】本発明のいくつかの実施形態に係る図１の無線通信端末をさらに詳細に例示するブロック図である。
【発明を実施するための形態】
【００２１】
以下では、図面を参照しながら本発明の特定の実施形態例について説明する。しかしながら、本発明は各種多数の形式で実施され得るものであり、本明細書で説明される実施形態に限定されるものと解釈すべきではない。むしろこれらの実施形態は本開示が完全であり完璧であって、本発明の範囲を当業者に十分に伝えるために提供するものである。添付図面に例示されている特定の実施形態についての詳細な説明で使用されている用語は本発明の限定を意図するものではない。図面において、同一の番号は同一の要素を示す。
【００２２】
明示的に別段の定めをした場合を除き、本願明細書で使用されているように、単数形を示す「ａ」、「ａｎ」及び「ｔｈｅ」は複数形も同様に含むことを意図するものである。本明細書で使用されている「含む（includes）」、「備える（comprises）」「含んでいる（including）」、「備えている（comprising）」という用語のうちの少なくともいずれかの用語は、本明細書で述べられている機能、数値、ステップ、動作、要素およびコンポーネントの少なくとも１つの存在を特定するために使用されていると理解されたい。１つの要素が別の要素と「接続される（connected）」又は「結合される（coupled）」と記載されている場合、この要素は、別の要素と直接接続又は結合することができるか、あるいは、中間に介在する要素が存在しうると理解されたい。さらに、本明細書で使用されているような「接続される（connected）」又は「結合される（coupled）」という記載は無線での接続又は結合を含みうるものである。本明細書で使用されているように、「〜と〜との少なくともいずれか（and／or）」及び省略記号「／」という用語は、１以上の関連づけられ、リストされた項目の任意の、及び、すべての組み合わせを含むものである。
【００２３】
本明細書で使用されているように、「無線通信端末」という用語は、セルラ無線通信機能又は他の無線通信機能を含むものであってもよく、音声とデータ通信機能の少なくともいずれかと、無線周波数送受信機、インターネット／イントラネットアクセス、ウェブブラウザ、電子手帳、カレンダ、全地球測位システム（ＧＰＳ）受信機のうちの少なくともいずれかを含むパーソナル・デジタル・アシスタント（ＰＤＡ）と、音声／データ送信のためのワイド／ローカルエリアネットワーク接続を確立するようになっている無線周波数（ＲＦ）トランシーバを含む他の端末とのうちの少なくともいずれかとを組み合わせたものであってもよい。
【００２４】
以下では、図１乃至図３を参照しながら、本発明の実施形態について説明する。図１は、ＲＦ通信インタフェースを介して無線通信ネットワーク９０と通信するための無線通信機能を提供する無線通信端末１００を示す概略図である。例えば、無線通信ネットワーク９０は、複数の基地局トランシーバ９２ａ−ｂ、基地局コントローラ（ＢＳＣ）９４、（プライベート／パブリック（インターネット）ネットワークなどの）有線ネットワーク９６、及び、移動体交換センタ９８を含むものであってもよい。上記とは別に、ネットワーク９０は、１以上のＩＥＥＥ８０２．１１無線通信規格に準拠して動作する無線ルータ（無線アクセスポイント）のような無線ローカル／ワイドエリアネットワークルータ９９を含むものであってもよい。したがって、無線通信機能は、無線電子メール／メッセージング、ネットワーク９６を通じて無線でアクセスするデータコンテンツを含むものであってもよいが、（セルラー呼、ボイス・オーバＩＰ呼などの）無線電話呼の実行のみに限定されるわけではない。
【００２５】
無線通信端末１００は、ディスプレイ１１０とキーパッドインタフェース１２０とを含むものであってもよく、開いた位置と閉じた位置との間でヒンジ１２４のまわりで旋回可能な（シェル型筐体などの）折り畳み式筐体を含むものであってもよい。無線通信端末１００は、ユーザが用いるための様々な非無線通信機能を提供する。非無線通信機能は、デジタルカメラ機能、音楽／音声プレイヤ／レコーダ機能、電子メール／メッセージング機能、カレンダ／アポイントメント機能のうちの少なくともいずれかを含むものであってもよいが、これらのみに限定されるわけではない。
【００２６】
無線通信端末１００がデジタルカメラ機能を備える場合、端末１００は、入射光に対してカメラセンサを選択的に露光するために開閉を行うカメラのウィンドウシャッタをさらに備えてもよい。図２は、図１の無線通信端末１００に設けられた例示のカメラのウィンドウシャッタ１３０を示す図である。このウィンドウシャッタは、ユーザによるシャッタ１３０の操作によるか、端末１００の内部におけるカメラ機能の起動／停止に応じるかの少なくともいずれかによって開閉することができる。
【００２７】
本発明のいくつかの実施形態では、無線通信端末１００は、無線通信機能の電源がオフのままになっている（電力が供給されていない）間、１以上の非無線通信機能が利用できるようになっている。したがって、ユーザは、無線通信機能の少なくとも一部の電源オフ状態を維持することによって、非無線通信機能を利用しながらバッテリの電力を節減できるようになるか、非無線通信機能をさらに迅速に起動し、利用できるようになるかの少なくともいずれかが可能となる。
【００２８】
上記とは全く対照的に、カメラのような非無線通信機能を従来のセルラ無線電話機で利用できるようになる前に、無線通信機能をパワーアップし、無線通信ネットワークとの通信登録処理を終了する必要があることを理解されたい。通信登録処理は、互換性を有する無線通信ネットワークから１以上の制御チャネルを求めて、定義された周波数帯域の範囲内で探索を行うステップと、選択した制御チャネルを介して電話機から無線通信ネットワークへ加入者情報を通信するステップと、認証及び制御情報を無線通信ネットワークから受信し、これに応答するステップと、を含むことができる。当業者であれば理解できるように、本明細書に開示されている本発明の実施形態に照らして考えると、ユーザが無線通信端末において非無線通信機能の利用のみを望む場合、通信登録処理を終了するとともに無線通信機能に対して電力を供給するステップは、電力を不必要に消費し、非無線通信機能へのユーザによるアクセスを遅らせることになることが考えられる。
【００２９】
本発明のいくつかの実施形態では、無線通信部の少なくとも一部の電源オフ状態を維持しながら、あるいは、この電源のスイッチをオフにしながら、デジタルカメラ、音楽／音声プレイヤ／レコーダ、電子メール／メッセージング、カレンダ／アポイントメントのうちの少なくともいずれかのような非無線通信部の電源をオンにして、このこれらのコンポーネントを利用することができる。さらに、いくつかの実施形態では、無線通信端末１００は、残っているバッテリの電力レベル（残存電力レベル）をモニタすることが可能であり、さらに、残存電力レベルが蓄積電力レベルの閾値未満になると、無線通信端末１００は、電源をオフにするか、１以上の非無線通信部の継続使用を可能にしながら、無線通信部の少なくとも一部をオフ状態に維持する（無線通信機能を使用しないようにする）かの少なくともいずれかを行うことが可能となる。
【００３０】
図１の無線通信端末１００の別例の詳細を示すブロック図である図３を参照しながら、本発明の実施形態の別例について以下説明する。図３を参照すると、無線通信端末１００は、無線通信部３１０、非無線通信部３２０、ユーザインタフェース３４０、メモリ３５０（即ち、内部メモリ）、取り外し可能なメモリモジュール３６０、バッテリ３７０、及び電力制御部３７２を含むことができる。電力制御部３７２は、参照の便宜上、無線通信部３１０と非無線通信部３２０とから分離したものとして示されてはいるが、本明細書に記載の電力制御部３７２の機能は１つ以上のその他の例示されている機能ブロックと別の機能ブロックの少なくともいずれかに統合されものであってもよいことを理解されたい。
【００３１】
無線通信部３１０は、無線トランシーバ３１２、プロトコル及び汎用無線通信制御部３１４、及び無線チャネル符号化／復号化制御部３１６を含んでもよい。無線トランシーバ３１２は、基地局トランシーバ９２ａ−ｂとの双方向通信を可能にするＲＦ送信機回路３１７及びＲＦ受信機回路３１８を含むことができる。しかし本発明は、これらの送信機回路に限定されるものではなく、本明細書で使用されているように、「トランシーバ」はＲＦ送信機又はＲＦ受信機のみを含むものであってもよい。プロトコル及び汎用無線通信制御部３１４は、例えば、規定された通信プロトコルを実行して、無線通信ネットワーク９０を登録し、このネットワークと通信できるようにメモリ３５０内のソフトウェア３５２を実行するようになっている汎用プロセッサを含むことができる。プロトコル及び汎用無線通信制御部３１４は、例えば、先進移動電話サービス（ＡＭＰＳ）、ＡＮＳＩ−１３６、グローバル・スタンダード・フォー・モバイル（ＧＳＭ）通信、汎用パケット無線サービス（ＧＰＲＳ）、次世代ＧＳＭ用拡張型データレート（ＥＤＧＥ）、符号分割多元接続（ＣＤＭＡ）、広帯域ＣＤＭＡ、ＣＤＭＡ２０００、汎用移動体通信システム（ＵＭＴＳ）のうちの少なくともいずれかなどのような１つ以上のセルラー通信プロトコルに従って通信を行うようになっている。無線チャネル符号化／復号化制御部３１６は、例えば、メモリ３５０内のソフトウェア３５４を実行して、無線通信ネットワーク９０への通信を行うか、無線通信ネットワーク９０から受信を行うかの少なくともいずれかを行うために、音声とデータの少なくともいずれかのような情報を符号化／復号化するデジタル信号プロセッサを含むものであってもよい。
【００３２】
無線トランシーバ３１２、プロトコルと、汎用無線通信制御部３１４及び無線チャネル符号化／復号化制御部３１６、ソフトウェア３５２、及びソフトウェア３５４に対する個々の機能ブロックが例示されてはいるが、これらの機能ブロックの関連付けられた機能は、１つ以上の共通の集積回路の中に一体に内蔵できることを理解されたい。
【００３３】
ユーザインタフェース３４０は、ディスプレイ１１０、キーボード／キーパッド３４２、スピーカ３４４、ナビゲーションキー３４６、筐体作動センサ３４８、マイク３５０のうちの少なくともいずれかを含むものであってもよい。作動センサ３４８は、無線通信端末１００のコンポーネントの物理的作動を検知することに応じて作動信号を生成することができる。例えば、作動センサ３４８は、ユーザが端末１００の筐体の上部及び下部をヒンジ１２４のまわりで軸回転することによって端末１００の筐体の開閉を検出することが可能であるか、カメラのウィンドウシャッタ１３０の開閉を検出することが可能であるか、キーパッド３４２の一部のようなボタン及び当該ボタンに関連付けられた電気スイッチの物理的作動を検出することが可能であるかの少なくともいずれかが可能である。作動センサ３４８は、例えば、機械的に作動されるスイッチと、（筐体の１つの可動部分と接続された磁石及び筐体の別の可動部分と接続された磁気的に作動されるスイッチなどの）磁気的に作動されるスイッチとの少なくともいずれかを含むことが可能である。
【００３４】
非無線通信部３２０は、カメラセンサ３２２、カメラ制御部３２４、音楽／音声プレイヤ／レコーダ制御部３２６、電子メール／メッセージング制御部３２８、カレンダ／アポイントメント制御部３３０、他の非通信機能制御部３３２のうちの少なくともいずれかを含むことができる。カメラ制御部３２４は、カメラセンサ３２２によって撮像されたデジタル静止画像とビデオの少なくともいずれかのような画像を処理し、メモリ２５０と取り外し可能なメモリモジュール３６０の少なくともいずれかの中へ処理済みの画像を保存することができる。音楽／音声プレイヤ／レコーダ制御部３２６は、無線通信ネットワーク９０からダウンロードされるか、マイク３５０を通して録音されるか、メモリ２５０と取り外し可能なメモリモジュール３６０の少なくともいずれかのメモリに別様に記憶することができるＭＰ３音楽のような音楽を再生することができる。電子メール／メッセージング制御部３２８は、ユーザが（ショートメッセージングサービスメッセージとインスタント・メッセージの少なくともいずれかのような）電子メール／メッセージを無線通信ネットワーク９０への現送信用として生成するか、あるいは、その後無線通信ネットワーク９０との接続時に無線通信ネットワーク９０と通信を行うために（例えば、通信が無線通信端末１００とネットワーク９０間で確立されていない間などに）オフラインで電子メール／メッセージを生成し、記憶するかの少なくともいずれかを行うことが可能となるようにできる。カレンダ／アポイントメント制御部３３０は、ユーザが見ることができるカレンダを提供するか、ユーザがカレンダの日付及び時刻に関連づけられたアポイントメントをスケジュールすることができるかの少なくともいずれかを行うことが可能である。
【００３５】
カメラセンサ３２２、カメラ制御部３２４、音楽／音声プレイヤ／レコーダ制御部３２６、電子メール／メッセージング制御部３２８、カレンダ／アポイントメント制御部３３０及びその他の非通信機能制御部３３２に関連して別々の機能ブロックを図示したが、これらの機能ブロックの関連付けられた機能のうちのいくつかの機能、あるいは、全ての機能は１以上の共通の集積回路の中に内蔵できることを理解されたい。例えば、非無線通信部３２０は、メモリ３５０に常駐しているソフトウェア命令３５６を実行する汎用／特定用途向けプロセッサによって実行することが可能である。
【００３６】
いくつかの実施形態では、ユーザは、非無線通信部３２０の少なくとも一部に電源投入を行わせ、かつ、無線通信部３１０の少なくとも一部が電源オフ状態になっている間、当該一部を利用できるようにすることが可能である。ユーザは、インタフェース３４２とインタフェース３４６との少なくともいずれかにおいて、作動センサ３４８からの作動信号に応じて、無線通信端末１００の筐体の開放によるか、（ハードウェア／ソフトウェアボタン及び関連付けられた電気スイッチなどの）１以上の定められたボタン操作によるかの少なくともいずれかによって非無線通信部３２０に電源投入を行わせることができる。作動信号に応じて、電力制御部３７２は、無線通信部３１０の少なくとも一部が電源オフの状態のままになっているか、電源がオフにされている間、バッテリ３７０から非無線通信部３２０の選択された機能部へ電力を選択的に供給することができる。
【００３７】
電力制御部３７２は、電力が、バッテリ３７０から無線トランシーバ３１２と、プロトコル及び汎用無線通信制御部３１４と、無線チャネル符号化／復号化制御部３１６とのうちの少なくともいずれかへ少なくとも実質的に流れないようにすることによって、無線通信部３１０を維持するか、無線通信部３１０の電源をオフにすることができる。
【００３８】
ユーザがカメラのシャッタ１３０を開放することに応じて、電力制御部３７２はカメラセンサ３２２とカメラ制御部３２４との電源をオンにすることができ、メモリ３５０と取り外し可能なメモリモジュール３６０の少なくともいずれかの電源をオンにして、写真／ビデオを上記メモリに保存することが可能となる。電力制御部３７２は、カメラセンサ３２２とカメラ制御部３２４とに電力を選択的に供給しながら、無線通信部３１０の少なくとも一部を電源オフの状態に維持することができる。
【００３９】
例示の実施形態では、ユーザが無線通信端末１００の電源をオンにすることに応じて、電力制御部３７２は、カメラのウィンドウシャッタ１３０が開放されていることを示す作動信号に応じて、無線通信部３１０の少なくとも一部に電力を供給することを防ぐとともに、カメラセンサ３２２とカメラ制御部３２４とへの電力の供給を開始し、カメラのウィンドウシャッタ１３０が閉じていることを示す作動信号に応じて、カメラセンサ３２２とカメラ制御部３２４との電源オフ状態を放置するとともに、無線通信部３１０への電力の供給を開始する。
【００４０】
別の実施形態では、無線通信端末１００は、（例えば、ユーザインタフェース３４０の一部として）カメラボタン及び当該カメラボタンに関連付けられた電気スイッチを含んでもよい。無線通信端末の電源がオフのとき、電力制御部３７２は、無線通信部３１０の少なくとも一部の電源オフ状態を放置するとともに、カメラ制御部３２４とカメラセンサ３２２とへの電力の供給を開始することによって、カメラボタンのユーザによる操作によって生じた作動信号に応答してもよい。同様に、無線通信端末の電源がオフになっているときに、電力制御部３７２は、（例えば、端末１００の筐体の開放によってカメラ機能のスイッチをオンにするような）無線通信部３１０の少なくとも一部の電源オフ状態を放置するとともに、カメラ制御部３２４とカメラセンサ３２２とへの電力の供給を開始することによって、端末１００の筐体の開放により生じた作動信号に応答してもよい。
【００４１】
電力制御部３７２は、ユーザによる端末１００の筐体の開放に応じるか、無線通信部３１０の少なくとも一部の電源オフ状態を維持しながら、インタフェース３４２とインタフェース３４６との少なくともいずれかにおける（ハードウェアボタン／ソフトウェアボタン／スイッチなどの）１つ以上の定められたボタン操作に応じるかの少なくともいずれかに応じて、音楽／音声プレイヤ／レコーダ制御部３２６、電子メール／メッセージング制御部３２８、カレンダ／アポイントメント制御部３３０、その他の非通信機能制御部３３２のうちの少なくともいずれかの制御部の電源を選択的にオンにすることができる。
【００４２】
音楽／音声プレイヤ／レコーダ制御部３２６は、無線通信部１３０の電源がオンになっている間は、ユーザが無線通信ネットワーク９０から無線通信部３１０を介して録音済みの音楽／音声を受信することを許可するとともに、ユーザが音楽／音声の再生／録音を行うことを許可するが、無線通信部１３０の電源がオンになっていない間は、ユーザが録音済みの音楽／音声を受信することを許可しない。電子メール／メッセージング制御部３２８は、無線通信部１３０の電源がオンになっている間、ユーザが無線通信ネットワーク９０から無線通信部１３０を介して電子メール／メッセージの送受信を行うことを許可し、無線通信部１３０の電源がオンになっていない間は、ユーザが（その後の送信を行うために）オフラインで電子メール／メッセージを作成し、レビューすることを許可する。電力制御部３７２は、（例えば、第１及び第２の筐体部が閉じた位置から開いた位置に移動するような）無線通信端末１００が開かれていることを示す作動センサ３４８からの作動信号に応じて、無線通信部１３０の少なくとも一部の電源オフ状態を放置するとともに、音楽／音声プレイヤ／レコーダ制御部３２６と電子メール／メッセージング制御部３２８との少なくともいずれかの制御部へバッテリ３７０から電力を供給できるようになっている。
【００４３】
いくつかの別の実施形態では、電力制御部３７２は、バッテリ３７０が蓄積電力レベルの閾値未満のときの残存電力レベルに応じて、無線通信部３２０の少なくとも一部に電力が流れことを選択的に防ぐとともに、バッテリ３７０から非無線通信部３１０へ電力を供給する。（例えば、消費されたバッテリ電力の測定／推測を行うことによって）電力制御部３７２はバッテリ３７０の電力を測定することができる。電力制御部３７２は、バッテリ３７０の残存電力が蓄積電力レベルの閾値未満まで低下した時点を決定し、無線通信部３１０の少なくとも一部の電源をオフにすることによって上記決定に応答することができる。
【００４４】
蓄積電力レベルの閾値は、メーカーが定めた値であるか、ユーザインタフェース３４０を介してユーザが制御できる変数値であるかの少なくともいずれかであってもよい。蓄積電力レベルの閾値は、バッテリ３７０のフル充電電力レベルの割合を示すレベル（例えば、蓄積電力レベルの閾値はバッテリのフル充電電力レベルの４％であってもよい）に基づいて定義するか、バッテリ３７０の残存電力によってどのくらいの通話時間を提供できるかを示す測定値と推定値との少なくともいずれかに基づいて定義するか、の少なくともいずれかに基づいて定義することができる（例えば、蓄積電力レベルの閾値は５分間の残っている通話時間を示す容量となる場合がある）。
【００４５】
電力制御部３７２は、バッテリ３７０が現在、そのフル充電の電力レベルの割合を示す定義された閾値未満の割合を含んでいるかの判定と、バッテリ３７０が現在、無線通信端末１００と無線通信ネットワーク９０との間での（セルラー電話呼などの）電話呼の通話時間を示す定義された分単位での時間未満の通話時間を提供する十分な残存電力レベルを有している旨の判定とのうちの少なくともいずれかの判定に応じて、無線通信部３１０の少なくとも一部の電源をオフにすることができる。この判定によって電力制御部３７２は、無線トランシーバ３１２及び制御部３１４、３１６の電源をオフにして、バッテリ３７０からのパワードレインを減らし、それによって、非無線通信部３２０の少なくとも一部により継続して使用するためにバッテリ３７０に残存電力を蓄積することが可能となる。
【００４６】
さらに、バッテリ３７０の残存電力レベルは、（比較的高いパワードレイン要件を有している場合がある）無線通信部３１０、及び、無線通信端末１００と少なくとも十分な時間長（少なくとも数分間）の間、無線通信ネットワーク９０に接続される他の通信装置との間での通話の登録と、呼設定と、実行とを可能にするようになっている無線通信端末１００の他のエレメントの電源をオンにしたり、維持し続けたりするには不十分である場合もあるとはいえ、バッテリ３７０内の残存電力レベルは、（無線通信部３１０よりも低い又は実質的に低い電力要件を有することができる）非無線通信部３２０のより長時間の使用を可能にすることができるほど十分なものとなり得る。
【００４７】
理解されるように、無線通信部３１０は、無線トランシーバ３１２及び制御部３１４、３１６のような電気部品を含むものであってもよい。これらの電気部品は高い電流需要及び関連付けられた電力需要を有する場合がある。無線トランシーバ３１２及び制御部３１４、３１６の電源をオフにすることによって、別様に無線通信部３１０の電源をオフにしなかった場合よりも長時間の間、非無線通信部３２０は引き続きユーザの利用に供されて利用できるようになる。
【００４８】
例示の実施形態では、バッテリ３７０が蓄積電力レベルの閾値未満のときの残存電力レベルに応じて、かつ、カメラのウィンドウシャッタ１３０が開いていることを示す作動信号に応じて、電力制御部３７２は、無線通信部３１０の少なくとも一部へ電力を供給しないようにしながら、カメラ制御部３２４及びカメラセンサ３２２へ電力を供給することができる。
【００４９】
他の例示の実施形態では、ユーザによる無線通信端末１００の電源投入に応じて、電力制御部３７２は、バッテリ３７０の残存電力レベルを測定し、測定した残存電力レベルが蓄積電力レベルの閾値以上になっているとき、無線通信部３１０及び非無線通信部３２０への電力の供給を開始し、測定した残存電力レベルが蓄積電力レベルの閾値未満になると、非無線通信部３２０への電力の供給を開始するとともに、無線通信部３１０の少なくとも一部へは電力を供給しないようにしてもよい。
【００５０】
電力制御部３７２はまた、バッテリ３７０の残存電力レベルが定義された閾値未満まで低下したとき、メモリ３５０の電源をオフにしてもよい。非無線通信部３２０の少なくとも一部は、メモリ３５０の電源がオフになっている間、取り外し可能なメモリモジュール３６０から／へデータの読出し／書込みを行うようにしてもよい。例えば、カメラ制御部３２４、音楽／音声プレイヤ／レコーダ制御部３２６、電子メール／メッセージング制御部３２８、カレンダ／アポイントメント制御部３３０のうちの少なくともいずれかは、１）メモリ３５０の電源がオンのとき、メモリ３５０へ／からデータの読出し／書込みを行うか、又は、２）メモリ３５０の電源がオフのとき、取り外し可能なメモリモジュール３６０へ／からデータの読出し／書込みを行うかを選択的に実行してもよい。
【００５１】
メモリ３５０の電源をオフにすることによって、非無線通信部３２０が使用するバッテリ３７０の残存電力をさらに延長することができる。さらに、非無線通信部３２０から取り外し可能なメモリモジュール３６０へデータを書き換えることによって、ユーザは他の電子装置とともに使用するデータにアクセスするためにモジュール３６０を取り外すことができ、メモリ３５０から取り外し可能なメモリモジュール３６０へのデータの転送を可能にするためにバッテリ３７０を最初に充電する必要性をおそらく回避することができるようになる。
【００５２】
本明細書で使用されているように、用語「制御部」は、１以上のゲートアレイ、（マイクロプロセッサなどの）ソフトウェア命令実行回路、個別の論理回路素子、アナログ回路のうちの少なくともいずれかの回路を含むデジタル論理回路を包含することができるが、これらのみに限定されるわけではない。
【００５３】
図面及び明細書において本発明の実施形態例を開示した。特定の用語を使用したが、これらの用語は単に一般的な意味で、かつ、説明的な意味で使用したものであって、限定を意図するものではない。本発明の範囲は請求項により特定される。
【００５４】
本願は２００６年１１月２日に出願された米国仮特許出願第６０／８６４，０３８号明細書に対する優先権を主張するものであり、上記特許の開示はその全体を引用することで本明細書に取り込まれている。
【図１】
2010508740.tif 000003
【図２】
2010508740.tif 000004
【図３】
2010508740.tif 000005
【国際調査報告】
2010508740.tif 000006
2010508740.tif 000007
2010508740.tif 000008